(57)【特許請求の範囲】
【請求項１】
シャワー吐出口およびストレート吐出口を有するシャワープレートを着脱自在に設けるとともに水質浄化材を交換可能に収容した頭部と、
この頭部に一体的に形成した把持部と、
この把持部に内蔵するとともに操作部を外部に突出して外部より操作可能に形成した流路切換弁と、
前記シャワープレートの上流側に配置するとともに前記流路切換弁とは独立に機能してシャワー吐出とストレート吐出とを切り換える吐出切換弁とを備えた浄水機能付きシャワーヘッドであって、
前記流路切換弁が、前記把持部に固定されて内部を延設方向に２分割する板状部材に前記把持部の延設方向に平行で前記水質浄化材に接続される浄水用流路および前記水質浄化材に接続されない原水用流路をそれぞれ穿設した弁座と、この弁座に回動自在に取り付けられた板状回動部材に前記回動の軸心からの距離が前記浄水用流路および原水用流路に等しい貫通孔を穿設した弁体とからなり、この弁体を前記操作部によって流路に対して平行な軸の軸回りに回動して浄水と原水とを切り換えるとともに、
前記吐出切換弁が、前記シャワープレートを貫通する弁軸と、流路に対して略垂直な板状に形成され前記シャワープレートの上流側でこの弁軸から離間して取り付けられた吐出弁体と、前記弁軸の前記シャワープレート下流側に取り付けられた切換レバーとからなり、この切換レバーの操作により前記吐出弁体を流路に対して交差方向に移動して前記ストレート吐出口を開閉し、
かつ、前記吐出弁体の上流側の面を浅い凹面に形成し、下流側の面を凸面に形成したことを特徴とする浄水機能付きシャワーヘッド。
【請求項２】
シャワー吐出口およびストレート吐出口を有するシャワープレートを着脱自在に設けるとともに水質浄化材を交換可能に収容した頭部と、
この頭部に一体的に形成した把持部と、
この把持部に内蔵するとともに操作部を外部に突出して外部より操作可能に形成した流路切換弁と、
前記シャワープレートの上流側に配置するとともに前記流路切換弁とは独立に機能してシャワー吐出とストレート吐出とを切り換える吐出切換弁とを備えた浄水機能付きシャワーヘッドであって、
前記流路切換弁が、前記把持部に固定されて内部を延設方向に２分割する板状部材に前記把持部の延設方向に平行で前記水質浄化材に接続される浄水用流路および前記水質浄化材に接続されない原水用流路をそれぞれ穿設した弁座と、この弁座に回動自在に取り付けられた板状回動部材に前記回動の軸心からの距離が前記浄水用流路および原水用流路に等しい貫通孔を穿設した弁体とからなり、この弁体を前記操作部によって流路に対して平行な軸の軸回りに回動して浄水と原水とを切り換えるとともに、
前記吐出切換弁が、前記シャワープレートを貫通する弁軸と、流路に対して略垂直な板状に形成され前記シャワープレートの上流側でこの弁軸から離間して取り付けられた吐出弁体と、前記弁軸の前記シャワープレート下流側に取り付けられた切換レバーとからなり、この切換レバーの操作により前記吐出弁体を流路に対して交差方向に移動して前記ストレート吐出口を開閉し、
かつ、前記吐出切換弁の上流側直近には、流路を上流側と下流側とに２分割する板状部材に下流側へ次第に縮径する嵌合孔を穿設した仕切部材と、この嵌合孔に嵌め込まれるとともに下流端面を閉鎖して上流側の開口から側面の開口へ連通する内部通水路を形成した集合通過部材とを配置したことを特徴とする浄水機能付きシャワーヘッド。
【請求項３】
前記水質浄化材が軸方向へ流路が形成された蓋付き有底円筒形状の浄化材ケースにフィルタおよび浄化材を軸方向に層状に収容したことを特徴とする請求項１または２のいずれかに記載の浄水機能付きシャワーヘッド。
【発明の詳細な説明】
【０００１】
【発明の属する技術分野】
本発明は、台所または厨房、洗面所あるいは風呂場等で用いられ、使用時に吐出する水及び／又は湯を浄化する能力を具備した浄水機能付きシャワーヘッドに関する。
【０００２】
【従来の技術】
従来、洗面所あるいは風呂場等で用いられる洗面装置やシャワー装置等に取り付けられ、水、湯、または湯水混合水（以下、単に混合水という）の水質浄化能力を具備したシャワーヘッドには、例えば特開平11−9485号記載の浄水シャワーがあった。
この浄水シャワーでは、把持部内に保湿剤充填部と脱塩素剤充填部とを設けて切り換え装置により脱塩素剤充填部のみを通過して塩素除去するか、または保湿剤充填部と脱塩素剤充填部の両方を通過して塩素除去するとともに保湿成分を含む水とすることができる。
【０００３】
〔問題点〕
このような従来の浄水シャワーでは脱塩素剤充填部のみを通過して塩素除去するか、または保湿剤充填部と脱塩素剤充填部の両方を通過して塩素除去するとともに保湿成分を含むようにすることができるようにしているが、原水をそのまま吐出することができるような構成にはなっていないため、保湿剤および脱塩素剤の消耗が激しく、また、原水を直に使用したい場合には、他の蛇口を使用しなければならない不便さがあって、原水吐出もできるものが望まれていた。
【０００４】
【発明が解決しようとする課題】
本発明は、従来の技術における前記問題点に鑑みて成されたものであり、これを解決するため具体的に設定された課題は、原水と浄水との流路の切換が容易であり、取扱いおよび製造が容易で、安価な浄水機能付きシャワーヘッドを提供することにある。
【０００５】
【課題を解決するための手段】
前記課題を効果的に解決できるように構成した手段としての、本発明における請求項１に係る浄水機能付きシャワーヘッドは、シャワー吐出口およびストレート吐出口を有するシャワープレートを着脱自在に設けるとともに水質浄化材を交換可能に収容した頭部と、この頭部に一体的に形成した把持部と、この把持部に内蔵するとともに操作部を外部に突出して外部より操作可能に形成した流路切換弁と、前記シャワープレートの上流側に配置するとともに前記流路切換弁とは独立に機能してシャワー吐出とストレート吐出とを切り換える吐出切換弁とを備えた浄水機能付きシャワーヘッドであって、前記流路切換弁が、前記把持部に固定されて内部を延設方向に２分割する板状部材に前記把持部の延設方向に平行で前記水質浄化材に接続される浄水用流路および前記水質浄化材に接続されない原水用流路をそれぞれ穿設した弁座と、この弁座に回動自在に取り付けられた板状回動部材に前記回動の軸心からの距離が前記浄水用流路および原水用流路に等しい貫通孔を穿設した弁体とからなり、この弁体を前記操作部によって流路に対して平行な軸の軸回りに回動して浄水と原水とを切り換えるとともに、前記吐出切換弁が、前記シャワープレートを貫通する弁軸と、流路に対して略垂直な板状に形成され前記シャワープレートの上流側でこの弁軸から離間して取り付けられた吐出弁体と、前記弁軸の前記シャワープレート下流側に取り付けられた切換レバーとからなり、この切換レバーの操作により前記吐出弁体を流路に対して交差方向に移動して前記ストレート吐出口を開閉し、かつ、前記吐出弁体の上流側の面を浅い凹面に形成し、下流側の面を凸面に形成したことを特徴とする。
【０００６】
また、請求項２に係る浄水機能付きシャワーヘッドは、シャワー吐出口およびストレート吐出口を有するシャワープレートを着脱自在に設けるとともに水質浄化材を交換可能に収容した頭部と、この頭部に一体的に形成した把持部と、この把持部に内蔵するとともに操作部を外部に突出して外部より操作可能に形成した浄水と原水とを切り換える流路切換弁と、前記シャワープレートの上流側に配置するとともに前記流路切換弁とは独立に機能してシャワー吐出とストレート吐出とを切り換える吐出切換弁とを備えた浄水機能付きシャワーヘッドであって、前記流路切換弁が、前記把持部に固定されて内部を延設方向に２分割する板状部材に前記把持部の延設方向に平行で前記水質浄化材に接続される浄水用流路および前記水質浄化材に接続されない原水用流路をそれぞれ穿設した弁座と、この弁座に回動自在に取り付けられた板状回動部材に前記回動の軸心からの距離が前記浄水用流路および原水用流路に等しい貫通孔を穿設した弁体とからなり、この弁体を前記操作部によって流路に対して平行な軸の軸回りに回動して浄水と原水とを切り換えるとともに、前記吐出切換弁が、前記シャワープレートを貫通する弁軸と、流路に対して略垂直な板状に形成され前記シャワープレートの上流側でこの弁軸から離間して取り付けられた吐出弁体と、前記弁軸の前記シャワープレート下流側に取り付けられた切換レバーとからなり、この切換レバーの操作により前記吐出弁体を流路に対して交差方向に移動して前記ストレート吐出口を開閉し、かつ、前記吐出切換弁の上流側直近には、流路を上流側と下流側とに２分割する板状部材に下流側へ次第に縮径する嵌合孔を穿設した仕切部材と、この嵌合孔に嵌め込まれるとともに下流端面を閉鎖して上流側の開口から側面の開口へ連通する内部通水路を形成した集合通過部材とを配置したことを特徴とする。
【０００７】
また、請求項３に係る浄水機能付きシャワーヘッドは、前記水質浄化材が軸方向へ流路が形成された蓋付き有底円筒形状状の浄化材ケースにフィルタおよび浄化材を軸方向に層状に収容したことを特徴とする。
【０００８】
【発明の実施の形態】
本発明における以下の実施の形態では、把持部の外面に沿わせた切換部材を有する流路切換弁を設けた場合について、具体的に説明する。
なお、この実施の形態は、発明の趣旨をより良く理解させるため具体的に説明するものであり、特に指定のない限り、発明内容を限定するものではない。
【０００９】
〔第１実施形態〕
〔構成〕
ここで用いられる浄水機能付きシャワーヘッドは、通常、台所の流しで湯と水とを混合して流す混合水栓に直接または間接的に接続され、水質切換弁としての流路切換弁に備えられた切換操作部材を把持部の外面に沿わせて周方向に移動操作することによって、混合水を浄化して使用することができるシャワーヘッドを構成する。
【００１０】
このため、図１〜２の外観図に示すように、浄水機能付きシャワーヘッド１００は、図示しない混合水栓または混合水栓に設けられたホースに取付けできる端部を有する略円筒形状に形成された把持部１１０と、この把持部１１０の混合水栓取付側とは反対側の端部に直結されて浄化材収容部を設けた有蓋円筒状に形成された頭部１２０と、頭部１２０の下端部に着脱自在に取り付けられてシャワー吐出できるようにしたシャワープレート１３０とを備えた。
【００１１】
そして、図３〜５の全体断面図に示すように、浄水機能付きシャワーヘッド１００には、把持部１１０の内部を空洞のままとし、把持部１１０の頭部１２０に近接した位置に流路切換弁（水質切換弁）１４０を内蔵して水質を切り換えることができるように形成し、また、頭部１２０の内部には水質浄化材１５０と、水質浄化材１５０の下流に配置した仕切部材１６０を介して下流側に配置された吐出切換弁１７０とを内蔵し、さらに、頭部１２０の下端部に取り付けたシャワープレート１３０の中央部にはプレート上流側の面にストレート吐出用流路形成部材１８０を立設してシャワー吐出とストレート吐出との流路を隔離する。
【００１２】
把持部１１０は、頭部１２０側に直結した筒部１１１と混合水栓取付側の筒部１１２とに中間部で分け、この中間部は両筒部１１１，１１２が着脱自在かつ一体的に組合せ可能にするねじ結合部を有する中継部１１３を形成し、この中継部１１３の螺合を解除して筒部１１１と筒部１１２を分離することにより、把持部１１０を容易に２分割できるようにして流路切換弁１４０を組み込むことができるように形成する。
そして、把持部１１０の頭部１２０側に直結した筒部１１１における頭部直近の端部には、流路切換弁１４０を組み込み、流路切換弁１４０に設けられた切換操作部材１４１の突出部１４２を放射方向の外方に突き出して、把持部１１０の外部から流路切換弁１４０を操作できるように形成する。
さらに、把持部１１０の混合水栓取付側の端部には厚肉円筒状のホース接続部１１４を設け、その先端部にホース取付ねじ１１５を形成して、ホースとの着脱を容易にし、そして、ホース接続部１１４の外周側には軸方向に沿って突出した板状の突起部１１４ａを突出し、図示しない水栓本体のホルダ部に嵌め込んで、台所の流しの定位置で浄水機能付きシャワーヘッド１００を支持する際の位置決めリブとする。
【００１３】
頭部１２０は、頂部が曲面に形成され、主要部が略円筒状に形成され、下端部が開口した形状に形成され、内部に特別な突出部が設けられていない空間（空洞）１２０ａを形成している頭部外皮１２０ｂからなり、形成された空間１２０ａには水質浄化材１５０、仕切部材１６０を取り付け、吐出切換弁１７０を組み付けたシャワープレート１３０によって下端部を閉鎖して形状を維持する。
頭部１２０の下端部に取り付けられたシャワープレート１３０の中央部にはストレート吐出口１３１を形成し、このストレート吐出口１３１の上流側にストレート吐出用流路形成部材１８０を立設してストレート吐出用の流路をシャワー吐出用の流路から隔離し、ストレート吐出口１３１の周囲にはストレート吐出口１３１を囲むように小孔を多数穿設したシャワー吐出口１３２を形成する。
【００１４】
ストレート吐出とシャワー吐出とを切り換える吐出切換弁１７０は、シャワー吐出口１３２の形成面を一部変更して貫通孔を穿設し、この貫通孔に吐出切換弁１７０の軸部を貫通して軸支し、弁体側をシャワープレート内部に収容するのに対して操作部側をシャワープレート外部に配置して、操作部としての切換レバー１７１をシャワープレート１３０の外部から操作できるようにする。
水質浄化材１５０を収容した頭部１２０では、把持部１１０から流入した混合水が流路切換弁１４０によって水質浄化材１５０を介して浄化されるか、または水質浄化材１５０の外部を通過して直接に仕切部材１６０から流出するかの二手に流路が分かれ、仕切部材１６０の上流側で合流し、仕切部材１６０の中央部から吐出切換弁１７０の選択によりシャワープレート１３０の上流側に形成されたストレート吐出用またはシャワー吐出用の流路のいずれかに流出するように形成される。
【００１５】
この頭部１２０は、図６〜８に示すように、頭部外皮１２０ｂにより一側周面側から筒部１１１を突出し、頂部が曲面に形成され、下端部が開口された略有蓋円筒形状に形成されて、内部が特別な突出部が設けられていない空間１２０ａを形成する。この空間１２０ａには、水質浄化材、仕切板および吐出切換弁等が収容できる容積を有し、シャワープレート１３０によって下端部を閉鎖できるように雌ねじ１２０ｃを下端部内面側に形成する。
また、直結された筒部１１１の先端部には筒部１１２との嵌合用の円筒部１１３ａと雌ねじ１１３ｂとを内面側に形成して中継部１１３の雌側を形成し、筒部１１２とのねじ結合ができるようにする。そして、雌ねじ１１３ｂの奥には流路切換弁１４０を内嵌する嵌合用内面として必要な径を有する円筒内面１１３ｄを形成し、この円筒内面１１３ｄの最奥部には段差部１１３ｅを設けて、流路切換弁１４０の挿入時に挿入位置規制ができるようにする。
そして、円筒内面１１３ｄを形成した箇所の軸方向中央部には、流路切換弁１４０に形成された切換操作部材１４１を貫通させる周方向に長辺を向けた平面展開形状が長方形の孔１１１ａを穿設し、この長方形の孔１１１ａの長辺の長さは流路切換弁１４０の操作角に従い移動する切換操作部材１４１から突出した突出部１４２の最大移動角に合わせて規定する。
【００１６】
流路切換弁１４０は、図３〜５に示すように、弁開閉動作を行うための操作部材となる突出部１４２を設けた切換操作部材１４１と、筒部１１１に固定される弁座形成部材１４３と、突出部１４２により動かされて弁座形成部材１４３との相対位置を軸回りに変更する弁体形成部材１４４とからなる。
弁座形成部材１４３は、図９〜１２に示すように、筒部１１１に形成された円筒内面１１３ｄに内嵌する外径を有する短円筒１４３ａを形成し、この短円筒の内側に頭部１２０の空間１２０ａと円筒部１１０の筒部１１１との間を仕切る仕切板を形成する円板部１４３ｂを設け、短円筒１４３ａよりも小径の円筒形に形成して弁体形成部材１４４を内嵌する弁体嵌合部１４３ｃを形成し、円板部１４３ｂの中心と周辺との中間位置に浄水側流路へ連通する貫通孔１４３ｄを穿設し、この貫通孔１４３ｄと同じ中心から同じ半径の位置で、把持部１１０側から頭部１２０側を見て貫通孔１４３ｄの位置から中心角で約 90 度離れた位置に貫通孔１４３ｅを穿設し、円板部１４３ｂの頭部１２０側に位置した面には水質浄化材１５０に連通する筒状に形成された導水路１４３ｆを形成し、この導水路１４３ｆの先端には接続部１４３ｇを設ける。
この接続部１４３ｇは、水質浄化材１５０のケースの蓋側に突設された入口部に外嵌できる大きさの径を有する円筒形状に形成され、水質浄化材１５０との接続に必要な角度を導水路１４３ｆに設けて、弁座形成部材１４３に穿設された貫通孔１４３ｄの向きと水質浄化材１５０の蓋側に設けられた入口部の向きとの間を調整する。
【００１７】
弁体形成部材１４４は、図１３〜１５に示すように、弁座形成部材１４３の円板部１４３ｂに当接する面を有する厚肉円板部１４４ａを形成し、その厚肉円板部１４４ａの一面側を弁座形成部材１４３の円板部１４３ｂに当接する面とし、他面側には平面を形成し、厚肉円板部１４４ａの周縁部に円筒状の外筒部１４４ｂを同心的に突出して弁座形成部材１４３との当接面側が閉じられた有底円筒形に形成する。
この有底円筒形の外筒部１４４ｂの端縁部には、筒部１１１に内嵌するために必要な外形寸法を有して外周側に厚みが厚くなるように形成された厚肉部１４４ｃを設け、この厚肉部１４４ｃの外周面にＯリング溝１４４ｄを刻設する。
そして、厚肉円板部１４４ａの中心と周辺との中間位置に１つの流路となる貫通孔１４４ｅを穿設し、その貫通孔１４４ｅの穿設位置の弁座形成部材１４３との当接面側には貫通孔１４４ｅの周囲にＯリング溝１４４ｆを刻設する。
さらに、外筒部１４４ｂの外周側には、厚肉部１４４ｃの厚肉円板部配置側に向いた端面を背にして逆Ｔ字形の溝１４４ｇを形成する互いに突出側を向き合わせた鍵形部材１４４ｈ，１４４ｉを突出して、切換操作部材１４１に形成された突出部１４２の内側に突出した部分を係合可能かつ弁体形成部材１４４の軸方向に出入自在に形成する。
また、厚肉円板部１４４ａの弁座形成部材当接側の面には外周縁部にＯリングを嵌め込むことができるように形成した段差部１４４ｊを設ける。ここで使用されるＯリング（図３，４参照）はＮＢＲ（アクリロニトリルブタジエンゴム）等の熱湯から冷水までの範囲で利用できるゴム製のものを使用する。
【００１８】
切換操作部材１４１は、図１６，１７に示すように、筒部１１１の外周に沿って湾曲させて、操作時の動作範囲全域について筒部１１１に穿設された長方形の孔１１１ａを覆うことができる湾曲板１４１ａを形成し、湾曲板１４１ａの中央部に指掛け可能に形成された突出部１４２を放射方向の外方に突設し、この突出部１４２の突設側とは反対側の位置（湾曲面の内側中央部）に弁体形成部材１４４に形成された鍵形部材１４４ｈ，１４４ｉによって形作られた逆Ｔ字形の溝１４４ｇに係合する係止部１４１ｂを突設する。
これにより、弁体形成部材１４４の鍵形部材１４４ｈ，１４４ｉ間に形成された逆Ｔ字形の溝１４４ｇに切換操作部材１４１の係止部１４１ｂを係合し、弁座形成部材１４３の把持部側の面にＯリングを取り付けた弁体形成部材１４４の厚肉円板部１４４ａを密着して、厚肉円板部１４４ａの中心軸回りに 90 度時計回りまたは反時計回りに回動すると、弁座形成部材１４３に設けられた貫通孔１４３ｄまたは１４３ｅに弁体形成部材１４４に設けられた貫通孔１４４ｅが同一中心軸上に揃うことにより、それぞれ浄水または原水の流路に対する弁開状態となり、浄水または原水が吐出できるようになる。
【００１９】
水質浄化材１５０は、図３，４に示すように、粒状、顆粒状あるいは繊維状等の活性炭を主成分とする吸着物質を円柱状に成形した浄化材１５１と、その両端面に不織布、スポンジまたは網等からなるフィルタ１５２を配置したものを蓋付き有底円筒からなる浄化材ケース１５３内に収容したものである。浄化材ケース１５３は、蓋部１５４と浄化材収容部本体１５５とに分離できるようにする。
蓋部１５４は、図１８，１９に示すように、円板部１５４ａの一面側の中央部に円筒形状の継手部１５４ｂを突設し、その継手部１５４ｂの外周面にＯリング溝１５４ｃを刻設し、他面側の周縁には短円筒１５４ｄを突設して浄化材収容部本体１５５の開口側の端部に外嵌できるようにする。
【００２０】
浄化材収容部本体１５５は、図２０，２１に示すように、有底円筒の側周壁１５５ａは透過性のない壁面を形成し、平面を形成する底面１５５ｂには他数個の孔１５５ｃ，…，１５５ｃを穿設して浄化された混合水を通過しやすくする。
これにより、混合水は浄化材ケース１５３の蓋部１５４に設けられた継手部１５４ｂより水質浄化材１５０の内部に流入して、フィルタ１５２および浄化材１５１によって浄化され、浄化材収容部本体１５５の底面１５５ｂに穿設された孔１５５ｃ，…，１５５ｃから仕切部材１６０の上流側に流出する。
【００２１】
このような水質浄化材１５０が頭部１２０の空間１２０ａに収容され、浄化材ケース１５３の蓋部１５４に設けられた継手部１５４ｂが弁座形成部材１４３の導水路１４３ｆの先端に設けられた接続部１４３ｇに接続されると、導水路１４３ｆを通過する混合水を水質浄化材１５０の内部に導入して浄化することができる浄水流路となり、また、その水質浄化材１５０の外周側は、弁座形成部材１４３に設けられた貫通孔１４３ｅと連通して原水流路となる。
【００２２】
頭部１２０の内部で水質浄化材１５０の下流側に組み込まれる仕切部材１６０は、図２２，２３に示すように、円盤状仕切板１６０ａの各面側の外周縁に短い円筒形状の環状部材１６０ｂ，１６０ｃを突設し、円盤状仕切板１６０ａの中央部にシャワー吐出側またはストレート吐出側への入口部へ移行するための集合通過部材１６１（図２５参照）を嵌合する嵌合孔１６０ｄを穿設し、その嵌合孔１６０ｄの周囲に水質浄化材１５０を載置するための浄化材ケース１５３の外径に近い外径を有する湾曲した突出部１６０ｅを周上等間隔に４個突設する。
そして、外周縁の上側の環状部材１６０ｂには頭部に形成された雌ねじ１２０ｃに螺合できる雄ねじ１６０ｆを形成し、その雄ねじ形成部の下部にＯリング溝１６０ｇを刻設して頭部１２０との間の漏止めができるようにし、また、外周縁の下側の環状部材１６０ｃには外周面に条数２の多条雄ねじ１６０ｈを形成してシャワープレート１３０を螺合できるようにし、多条雄ねじ形成箇所の上部にはＯリング溝１６０ｉを形成してシャワープレート１３０との間の漏止めができるようにする。
さらに、嵌合孔１６０ｄは、径が２段に分けられて、上部には円形の軸方向に対して同一径の孔が形成され、下部には軸方向下方に向けて縮径される孔に形成され、それらの中間には段差を設けて上方から集合通過部材１６１を嵌め込めるように形成する。
【００２３】
集合通過部材１６１は、図２４〜２６に示すように、鍔側の端面を浅く削り込んで外縁付き平面形にした有鍔円柱の円柱部１６１ａに、環状の溝１６１ｂを鍔側の浅く削り込んだ端面から軸方向に深くかつ貫通しない程度に刻設し、環状の溝１６１ｂの外周に外側の先端部が鍔部１６１ｃにまで達する多数の光芒１６１ｄを刻設し、この光芒１６１ｄを有する環状の溝１６１ｂを設けた円柱部１６１ａの外径を鍔部１６１ｃの外径よりも小さくして、光芒１６１ｄの外側の下端部が側方に開口した形状に形成する。
この集合通過部材１６１は円柱部１６１ａと鍔部１６１ｃの外形寸法を仕切部材１６０の嵌合孔１６０ｄに嵌め込むことができる外径にし、円柱部１６１ａの側面に形成された開口が仕切部材１６０の嵌合孔１６０ｄに形成された下方に縮径される孔の位置に達するように軸方向の寸法を調節して、開口から径方向外側下方へ流出する混合水を縮径される孔により中心部下方に集中するように流出させる。
【００２４】
仕切部材１６０の下流側に位置する吐出面形成部材としてのシャワープレート１３０は、図２７〜３０に示すように、平板状の円板部１３０ａとその外周縁を立ち上げて形成した張出部１３０ｂとを形成し、円板部１３０ａの中央部にストレート吐出口１３１を穿設し、このストレート吐出口１３１に隣接して吐出切換弁１７０の弁軸１７２（図３３参照）を貫通させて軸支する軸孔１３０ｃを穿設し、ストレート吐出口１３１と軸孔１３０ｃとを除いた面のストレート吐出口１３１の周囲にシャワー吐出口１３２となる小孔を多数個につき略均等な間隔で穿設する。
このシャワープレート１３０は、各孔を穿設した円板部１３０ａの張出部形成側を混合水の流入側（上流側）とし、張出部１３０ｂの内周面側には条数が２の多条雌ねじ１３０ｄを形成して、仕切部材１６０に設けた多条雄ねじ１６０ｈに螺合できるようにする。また、張出部１３０ｂの上端部の内側には拡径した段差部１３０ｅを設け、その内周面をＯリング用押圧面に形成し、仕切部材１６０のＯリング溝１６０ｉに取り付けたＯリング（図３参照）を外側から押圧して仕切部材１６０との螺合時に漏止めができるようにする。
【００２５】
さらに、ストレート吐出口１３１の上部には、ストレート吐出用流路形成部材１８０（図３２参照）を嵌合させる凹部１３０ｊを設け、シャワープレート中央部にストレート吐出用流路形成部材１８０を立設して、ストレート吐出側の流路（ストレート吐出流路１８１）とシャワー吐出側の流路（シャワー吐出面上流側空間１３３）とを仕切ることができるようにする。
また、張出部１３０ｂの外周面には、軸孔１３０ｃを設けた位置の外周側に、軸孔穿設位置の外周面を挟むように２つの突出部１３０ｆ，１３０ｆを突設し、吐出切換弁１７０の切換レバー１７１が２つの突出部１３０ｆ，１３０ｆの間に配置されたとき、切換レバー１７１の操作範囲を２つの突出部１３０ｆ，１３０ｆの間隔によって与えられた回動角に規制できるようにする。
【００２６】
シャワープレート中央部に立設するストレート吐出用流路形成部材１８０は、図３１，３２に示すように、上端縁が内面側に縮径された端部を有する円筒形状に形成され、円筒部の内部がストレート吐出流路１８１として利用される。
上端に形成された開口１８０ａの開口径が円筒部分の内径よりも小さくなるように形成して、吐出切換弁１７０の弁体１７３（図３４参照）により開口１８０ａを閉鎖し易くし、また、下端部の外径はシャワープレート１３０の中央部に形成された凹部１３０ｊに内嵌できる大きさを有し、嵌合後には嵌合状態が緊密でシャワープレート１３０の中央部に自立できるように形成する。
【００２７】
吐出切換弁１７０は、図３３，３４に示すように、シャワープレート１３０の円板部１３０ａを貫通して軸回りに回動自在に支持される弁軸１７２を一体に設けた切換レバー１７１と、集合通過部材１６１とストレート吐出用流路形成部材１８０との間に設けられた隙間に配置できるように上面を浅い凹面に形成した薄い皿状に形成した弁体１７３とに分割される。
切換レバー１７１は、図３３に示すように、弁軸１７２に対して垂直な方向にレバー部１７１ａを延設し、その操作片である切換レバー１７１の先端にレバー回動方向に対して略垂直な面を形成する指掛け部１７１ｂには両面側にそれぞれ凹部１７１ｃを形成して指の係止を容易にする。弁軸１７２の先端には、弁体側に形成された嵌合孔１７３ｃ（図３４参照）に挿入して弁体１７３と結合し、結合後の抜けを防止するための拡張側に付勢されている断面が矩形に形成された弾性係止部１７２ａ，１７２ａを突出させる。
【００２８】
弁体１７３は、図３４，３５に示すように、上面を浅い凹面に形成した薄い皿状に形成し、下面を板厚分長くした曲率半径で湾曲した凸面に形成した皿部１７３ａと、この皿部１７３ａから放射方向の一方向へ延設したアーム部１７３ｂと、このアーム部１７３ｂの先端部に弁軸側の弾性係止部１７２ａ，１７２ａを挿入して内嵌する矩形断面の嵌合孔１７３ｃを穿設した軸結合部１７３ｄとからなる。
【００２９】
弁軸１７２側の弾性係止部１７２ａ，１７２ａを軸結合部１７３ｄの嵌合孔１７３ｃに挿入する際、シャワープレート１３０に形成された軸孔１３０ｃに外方（下流側）から弾性係止部１７２ａ，１７２ａを挿入して、軸孔１３０ｃに弁軸１７２を嵌合し、その後、弁体１７３側の嵌合孔１７３ｃに弾性係止部１７２ａ，１７２ａを抜け防止可能になるまで挿入して、弁体１７３と切換レバー１７１とをシャワープレート１３０に組み付けるとともに吐出切換弁１７０の可動部材を結合して、軸孔１３０ｃにより回動自在に支持された弁軸１７２の軸回りに弁体１７３と切換レバー１７１とを一体に回動できるようにする。
【００３０】
〔作用効果〕
このように構成した第１実施形態では、流路切換弁１４０の突出部１４２を把持部１１０の外周面に沿って回動することによって浄水吐出と原水吐出とを切り換えることができ、また、浄水吐出と原水吐出の切換えとは独立に、吐出切換弁１７０の切換レバー１７１を操作することによってストレート吐出とシャワー吐出とを切り換えることができるようになる。
【００３１】
いま、流路切換弁１４０の設定位置を図３〜５に示すように浄水吐出状態にすると、把持部１１０のホース接続部１１４側から流入した混合水は、流路切換弁１４０の貫通孔１４４ｅおよび１４３ｄを通過して導水路１４３ｆを通り、水質浄化材１５０の蓋部１５４に設けられた継手部１５４ｂを介して浄化材ケース１５３の内部へ流入し、フィルタ１５２、浄化材１５１、フィルタ１５２を透過して浄化された混合水が浄化材収容部本体１５５の底面１５５ｂに穿設された孔１５５ｃ，…，１５５ｃを通過して仕切部材１６０の上流側に流出し、ここから仕切部材１６０の中央部に設けられた集合通過部材１６１を介して仕切部材１６０の下流側に流出し、吐出切換弁１７０の設定に従い、ストレート吐出流路１８１またはシャワー吐出面上流側空間１３３に流入し、その流入方向に従ってストレート吐出かまたはシャワー吐出する。
【００３２】
次に、この浄水吐出をしている場合に、流路切換弁１４０の切換操作部材１４１に設けられた突出部１４２に指をかけて切換操作部材１４１を把持部１１０の外周面に沿い所定方向へ必要角度回動して、流路切換弁１４０を図３６〜３８に示すように原水吐出状態に切り換えると、混合水は流路切換弁１４０の貫通孔１４４ｅおよび１４３ｅを通過して水質浄化材１５０の内部に入らずに、水質浄化材１５０が収容された頭部１２０の空間１２０ａを通過して、水質浄化材１５０の底面の下流側と仕切部材１６０の上流側との間に形成された空間に流入し、この空間から仕切部材１６０の中央部に設けられた集合通過部材１６１を介して仕切部材１６０の下流側に流出し、吐出切換弁１７０の設定に従い、ストレート吐出流路１８１またはシャワー吐出面上流側空間１３３に流入し、その流入方向に従ってストレート吐出かまたはシャワー吐出する。
原水吐出状態に切り換えた後、再度、流路切換弁１４０の切換操作部材１４１に設けられた突出部１４２に指をかけて切換操作部材１４１を把持部１１０の外周面に沿って、原水吐出の場合と逆方向へ同じ角度回動すると、図３〜５に示すような浄水吐出の場合に戻り、浄水を吐出できるようになる。
【００３３】
また、吐出切換弁１７０の操作については、流路切換弁１４０の操作とは独立に実行でき、ストレート吐出とシャワー吐出との設定を任意に切換えることができる。
まず、切換レバー１７１を操作して弁軸１７２の軸心を中心にしてストレート吐出側に回動すると、弁体１７３の皿部１７３ａがストレート吐出用流路形成部材１８０の開口１８０ａの位置から外れ、集合通過部材１６１から流出する混合水がストレート吐出用流路形成部材１８０の開口１８０ａへ流入し、ストレート吐出流路１８１の内部を通過してストレート吐出口１３１から吐出するようになる。
【００３４】
そして、切換レバー１７１がストレート吐出側に設定されている場合に、切換レバー１７１を反対方向へ操作して、弁軸１７２の軸心を中心にしてシャワー吐出側に回動すると、弁体１７３の皿部１７３ａがストレート吐出用流路形成部材１８０の開口１８０ａの上部に位置して開口１８０ａを塞ぎ、集合通過部材１６１から流出する混合水が弁体１７３の皿部１７３ａに阻まれてストレート吐出用流路形成部材１８０の周囲に流出し、仕切部材１６０とシャワープレート１３０によって形成されたシャワー吐出面上流側空間１３３を介してシャワー吐出口１３２から吐出するようになる。
その後、再度、切換レバー１７１を操作して弁軸１７２の軸心を中心にしてストレート吐出側に回動すると、前述のように、ストレート吐出口１３１から吐出するようになる。
【００３５】
これにより、流路切換弁１４０の切換操作部材１４１に設けられた突出部１４２に指をかけて切換操作部材１４１を把持部１１０の中心軸回りかつ外周面に沿って回動することにより、浄水吐出と原水吐出とを容易に切り換えることができ、浄水吐出時には、混合水が水質浄化材１５０の浄化材ケース１５３の内部に流入して、浄化材１５１を通過する際に浄化されるようになり、また、原水吐出時には、水質浄化材１５０の浄化材ケース１５３の外部を通過して浄化せずに吐出するようになり、操作が容易な浄水機能付きシャワーヘッドを実現できる。
これに加えて、吐出切換弁１７０が流路切換弁１４０と完全に独立しているため、原水と浄水のどちらが吐出される場合であっても、ストレート吐出またはシャワー吐出のいずれかを選択して吐出させることができ、浄水と原水とに対してそれぞれストレート吐出とシャワー吐出のいずれかを組み合わせた４種類の利用可能な形態が選択できるようになる。
【００３６】
〔第２実施形態〕
前記第１実施形態は浄水と原水との水質の切換およびストレートとシャワーとの吐出形態の切換が両切換ともに独立に選択できるように形成されたが、この第２実施形態では、水質の切換のみを選択できるようにした場合について具体的に説明する。
以下の説明では、各部材の符号は２００番台の番号にして第１実施形態と識別することにし、また、流路の構成に係る部材以外の部材については、第１実施形態と同じ構成にするとともに符号を２００番台の下２桁の番号を同じにして説明を省略する。
【００３７】
〔構成〕
浄水機能付きシャワーヘッド２００は、シャワープレート側に吐出切換弁の操作レバーが配設されていない構成となり、吐出側流路の変更を除き、その他の点では第１実施形態と同じ構成となる。
また、図３９〜４１の全体断面図に示すように、浄水機能付きシャワーヘッド２００には、把持部２１０の内部を空洞のままとし、把持部２１０の頭部２２０に近接した位置に流路切換弁（水質切換弁）２４０を内蔵して水質を切り換えることができるように形成し、また、頭部２２０の内部には水質浄化材２５０と、水質浄化材２５０の下流に配置した仕切部材２６０を介して下流側にはシャワープレート２３０を着脱自在に頭部２２０の下端部に取り付け、仕切部材２６０の中央部にはストレート吐出用流路形成部材２８０を垂下し、シャワープレート２３０の中央部に開口したストレート吐出口２３１に接続し、浄水は水質浄化材２５０の内部を通過した後ストレート吐出し、原水は水質浄化材２５０とストレート吐出用流路形成部材２８０の外部を通過してシャワー吐出するように形成する。
【００３８】
把持部２１０は、頭部２２０側に直結した筒部２１１と混合水栓取付側の筒部２１２とに中間部で分け、この中間部は両筒部２１１，２１２が着脱自在かつ一体的に組合せ可能にするねじ結合部を有する中継部２１３を形成し、この中継部２１３の螺合を解除して筒部２１１と筒部２１２を分離することにより、把持部２１０を容易に２分割できるようにして流路切換弁２４０を組み込むことができるように形成する。
そして、把持部２１０の頭部２２０側に直結した筒部２１１における頭部直近の端部には、流路切換弁２４０を組み込み、流路切換弁２４０に設けられた切換操作部材２４１の突出部２４２を放射方向の外方に突き出して、把持部２１０の外部から流路切換弁２４０を操作できるように形成する。
さらに、把持部２１０の混合水栓取付側の端部には厚肉円筒状のホース接続部２１４を設け、その先端部にホース取付ねじ２１５を形成して、ホースとの着脱を容易にし、そして、ホース接続部２１４の外周側には軸方向に沿って突出した板状の突起部２１４ａを突出し、図示しない水栓本体のホルダ部に嵌め込んで、台所の流しの定位置で浄水機能付きシャワーヘッド２００を支持する際の位置決めリブとする。
【００３９】
頭部２２０は、頂部が曲面に形成され、主要部が略円筒状に形成され、下端部が開口した形状に形成され、内部に特別な突出部が設けられていない空間（空洞）２２０ａを形成している頭部外皮２２０ｂからなり、形成された空間２２０ａには水質浄化材２５０、仕切部材２６０、ストレート吐出用流路形成部材２８０等を収容し、中央部にストレート吐出口２３１を開口したシャワープレート２３０を取り付けることによって下端側を形成する。
頭部２２０の下端部に取り付けられる仕切部材２６０の中央部にはストレート吐出口２３１に接続するストレート吐出用流路形成部材２８０を垂下してストレート吐出流路２８１をシャワー吐出面上流側空間２３３から隔離し、シャワープレート２３０のストレート吐出口２３１の周囲にはストレート吐出口２３１を囲むように小孔を多数穿設したシャワー吐出口２３２を形成する。
【００４０】
頭部２２０に水質浄化材２５０を収容すると、把持部２１０から流入した混合水が流路切換弁２４０によって流路を浄水側流路か原水側流路かのいずれか一方を選択し、浄水側を選択した場合には、水質浄化材２５０の内部を通過して浄化され、仕切部材２６０の中央部を通過してストレート吐出用流路形成部材２８０の内部を通過してストレート吐出口２３１から吐出し、また、原水側を設定すると、水質浄化材２５０の外部と仕切部材２６０の周辺部とを通過してシャワー吐出口２３２から吐出するように形成される。
【００４１】
水質浄化材２５０は、粒状、顆粒状あるいは繊維状等の活性炭を主成分とする吸着物質を円柱状に成形した浄化材２５１と、その両端面に不織布、スポンジまたは網等からなるフィルタ２５２を配置したものを蓋付き有底円筒からなる浄化材ケース２５３内に収容したものである。浄化材ケース２５３は、蓋部２５４と浄化材収容部本体２５５とに分離できるようにする。
蓋部２５４は、第１実施形態と同様に、円板部の一面側の中央部に円筒形状の継手部を突設し、その継手部の外周面にＯリング溝を刻設し、他面側の周縁には短円筒を突設して浄化材収容部本体２５５の開口側の端部に外嵌できるようにする。
【００４２】
浄化材収容部本体２５５は、図４２，４３に示すように、有底円筒の側周壁２５５ａは透過性のない壁面を形成し、底面２５５ｂは平面を形成して他数個の孔２５５ｃ，…，２５５ｃを穿設して浄化された混合水を通過しやすくする。そして、他数個の孔２５５ｃ，…，２５５ｃを穿設した底面２５５ｂの外面側には、仕切部材２６０の上面側に嵌合して浄水流路と原水流路とを分離するための環状に形成した嵌合用突出部２５５ｄを突出し、この嵌合用突出部２５５ｄの外周面にはＯリング溝２５５ｅを刻設する。
これにより、混合水は浄化材ケース２５３の蓋部２５４に設けられた継手部より水質浄化材２５０の内部に流入して、フィルタ２５２および浄化材２５１によって浄化され、浄化材収容部本体２５５の底面２５５ｂに穿設された孔２５５ｃ，…，２５５ｃから仕切部材２６０の上流側に流出する。
【００４３】
このような水質浄化材２５０が頭部２２０の空間２２０ａに収容され、浄化材ケース２５３の蓋部２５４に設けられた継手部２５４ｂが弁座形成部材２４３の導水路２４３ｆに接続される（図３９参照）と、導水路２４３ｆを通過する混合水を水質浄化材２５０の内部に導入して浄化することができる浄水流路が形成され、また、その水質浄化材２５０の外周側は、弁座形成部材２４３に設けられた貫通孔２４３ｅと連通して原水流路が形成される。
【００４４】
頭部２２０の内部で水質浄化材２５０の下流側に組み込まれる仕切部材２６０は、図４４，４５に示すように、円板状仕切板２６０ａの各面側の外周縁に短い円筒形状の環状部材２６０ｂ，２６０ｃを突設し、円板状仕切板２６０ａの中央部にストレート吐出側への入口部へ移行するための集合通過部材２６１（図３９参照）を嵌合する嵌合孔２６０ｄを穿設し、その嵌合孔２６０ｄの周囲の上面側に、浄化材ケース２５３の外径と同じ外径を有するとともに嵌合用突出部２５５ｄを内嵌できる内径を有する、水質浄化材２５０の下端部を立設するための円筒形状の突出部２６０ｅを突設する。さらに、円板状仕切板２６０ａには突出部２６０ｅの外周側で周上等間隔に多数個の貫通孔２６０ｆ，…，２６０ｆを穿設して、水質浄化材２５０の外周側を通過する混合水を仕切部材２６０の下流側に垂下されたストレート吐出用流路形成部材２８０の外周側に流出できるように形成する。
【００４５】
そして、外周縁の上側の環状部材２６０ｂには頭部２２０に形成された雌ねじに螺合できる雄ねじ２６０ｇを形成し、その雄ねじ形成部の下部にＯリング溝２６０ｈを刻設して頭部２２０との間の漏止めができるようにし、また、外周縁の下側の環状部材２６０ｃには外周面に条数２の多条雄ねじ２６０ｉを形成してシャワープレート２３０を螺合できるようにし、多条雄ねじ形成箇所の上部にはＯリング溝２６０ｊを形成してシャワープレート２３０との間の漏止めができるようにする。
さらに、嵌合孔２６０ｄは、径が２段に分けられて、上部には円形の軸方向に対して同一径の孔が形成され、下部には軸方向下方に向けて縮径される孔に形成され、それらの中間には段差を設け、上方から集合通過部材２６１を嵌め込むことができるように形成する。
仕切部材２６０の中央部に一体的に垂下するストレート吐出用流路形成部材２８０は、上端部が嵌合孔２６０ｄに形成された円筒形状に形成され、嵌合孔２６０ｄの下方の内部がストレート吐出流路２８１として利用される。そして、下端部の外径はシャワープレート２３０の中央部に形成された凹部に緊密に内嵌できる外径を有する大きさに形成する。
【００４６】
仕切部材２６０の下流側に位置する吐出面形成部材としてのシャワープレート２３０は、図４６〜４７に示すように、平板状の円板部２３０ａとその外周縁を立ち上げて形成した張出部２３０ｂとを形成し、円板部２３０ａの中央部にストレート吐出口２３１を穿設し、このストレート吐出口２３１の周囲にシャワー吐出口２３２となる小孔を多数個につき略均等な間隔で穿設する。
このシャワープレート２３０は、各孔を穿設した円板部２３０ａの張出部形成側を混合水の流入側（上流側）とし、張出部２３０ｂの内周面側には条数が２の多条雌ねじ２３０ｄを形成して、仕切部材２６０の下部外周側に設けた多条雄ねじ２６０ｉに螺合できるようにする。また、張出部２３０ｂの上端部の内側には拡径した段差部２３０ｅを設け、その内周面をＯリング用押圧面に形成し、仕切部材２６０のＯリング溝２６０ｊに取り付けたＯリング（図３９参照）を外側から押圧して仕切部材２６０との螺合時に漏止めができるようにする。
さらに、ストレート吐出口２３１の上部には、ストレート吐出用流路形成部材２８０を嵌合させる凹部２３０ｆを設け、シャワープレート中央部にストレート吐出用流路形成部材２８０を立設可能に形成し、シャワープレート２３０の上流側がストレート吐出用流路形成部材２８０により、ストレート吐出側の流路（ストレート吐出流路２８１）とシャワー吐出側の流路（シャワー吐出面上流側空間２３３）とが仕切られるようにする。
【００４７】
〔作用効果〕
このように構成した第２実施形態では、流路切換弁２４０の切換操作部材２４１に設けられた突出部２４２を把持部２１０の外周面に沿って回動することによって浄水と原水とを切り換えることができる。
いま、流路切換弁２４０の設定位置を図３９〜４１に示すように浄水吐出状態にすると、把持部２１０のホース接続部２１４側から流入した混合水は、流路切換弁２４０の貫通孔２４４ｅおよび２４３ｄを通過して導水路２４３ｆを通り、水質浄化材２５０の蓋部２５４に設けられた継手部を介して浄化材ケース２５３の内部へ流入し、フィルタ２５２、浄化材２５１、フィルタ２５２を透過して浄化された混合水が浄化材収容部本体２５５の底面２５５ｂに穿設された孔２５５ｃ，…，２５５ｃを通過して仕切部材２６０の上流側に流出し、ここから仕切部材２６０の中央部に設けられた集合通過部材２６１を介して仕切部材２６０の下流側に流出し、ストレート吐出流路２８１からストレート吐出口２３１に達してストレート吐出する。
【００４８】
次に、この浄水吐出をしている場合に、流路切換弁２４０の突出部２４２に指をかけて切換操作部材２４１を把持部２１０の外周面に沿い所定方向へ必要角度回動して、流路切換弁２４０を図４８〜５０に示すように原水吐出状態に切り換えると、混合水は流路切換弁２４０の貫通孔２４４ｅおよび２４３ｅを通過して水質浄化材２５０が収容された頭部２２０の空間２２０ａを水質浄化材２５０の内部に入らずに通過し、さらに仕切部材２６０の突出部２６０ｅの外周側に形成された貫通孔２６０ｆ，…，２６０ｆを介して、仕切部材２６０の下流側のシャワー吐出面上流側空間１３３に流出し、シャワー吐出口２３２からシャワー吐出する。
原水吐出状態に切り換えた後、再度、流路切換弁２４０の突出部２４２に指をかけて切換操作部材２４１を把持部２１０の外周面に沿って、原水吐出の場合と逆方向へ同じ角度回動すると、図３９〜４１に示すような浄水吐出の場合に戻り、浄水を吐出できるようになる。
【００４９】
これにより、流路切換弁２４０の切換操作部材２４１に設けられた突出部２４２に指をかけて切換操作部材２４１を把持部２１０の中心軸回りかつ外周面に沿って回動することにより、浄水吐出と原水吐出とを容易に切り換えることができ、浄水吐出時には、混合水が水質浄化材２５０の浄化材ケース２５３の内部に流入して、浄化材２５１を通過する際に浄化されるようになり、また、原水吐出時には、水質浄化材２５０の浄化材ケース２５３の外部を通過して原水のまま吐出するようになり、操作が容易な浄水機能付きシャワーヘッドを実現できる。
【００５０】
【発明の効果】
以上のように本発明では、請求項１に係る浄水機能付きシャワーヘッドは、シャワー吐出口を有するシャワープレートを着脱自在に設けるとともに水質浄化材を交換可能に収容した頭部と、この頭部に一体的に形成した把持部と、この把持部に内蔵するとともに操作部を外部に突出して外部より操作可能に形成した流路切換弁と、前記シャワープレートの上流側に配置するとともに前記流路切換弁とは独立に機能してシャワー吐出とストレート吐出とを切り換える吐出切換弁とを備えたことにより、頭部あるいはその周辺部にすべての部材を集中的に配設して、浄水と原水との切換およびシャワー吐出とストレート吐出との切換が容易で、取扱が簡単な、比較的コンパクトにまとめられて製造が容易で安価となる浄水機能付きシャワーヘッドを形成することができる。
また、前記流路切換弁が、前記把持部に固定されて内部を延設方向に２分割する板状部材に前記把持部の延設方向に平行で前記水質浄化材に接続される浄水用流路および前記水質浄化材に接続されない原水用流路をそれぞれ穿設した弁座と、この弁座に回動自在に取り付けられた板状回動部材に前記回動の軸心からの距離が前記浄水用流路および原水用流路に等しい貫通孔を穿設した弁体とからなり、この弁体を前記操作部によって流路に対して平行な軸の軸回りに回動して浄水と原水とを切り換えることにより、原水と浄水との流路の切換えが容易にでき、操作性が良く、構成も簡素化でき、製造も容易となり、しかも安価にできる。
さらに、前記吐出切換弁が、前記シャワープレートを貫通する弁軸と、流路に対して略垂直な板状に形成され前記シャワープレートの上流側でこの弁軸から離間して取り付けられた吐出弁体と、前記弁軸の前記シャワープレート下流側に取り付けられた切換レバーとからなり、この切換レバーの操作により前記吐出弁体を流路に対して交差方向に移動して前記ストレート吐出口を開閉することにより、弁体を薄板状に形成してシャワープレート内の収容空間を流路方向に圧縮することができ、頭部の大きさをより小さくすることができる。
また、前記吐出弁体の上流側の面を浅い凹面に形成し、下流側の面を凸面に形成したことにより、シャワー吐出時に、ストレート吐出口を良好に塞いで、水をシャワー吐出口から吐出させることができる。
【００５１】
また、請求項２に係る浄水機能付きシャワーヘッドは、前記吐出切換弁の上流側直近には、流路を上流側と下流側とに２分割する板状部材に下流側へ次第に縮径する嵌合孔を穿設した仕切部材と、この嵌合孔に嵌め込まれるとともに下流端面を閉鎖して上流側の開口から側面の開口へ連通する内部通水路を形成した集合通過部材とを配置したことにより、集合通過部材の内部通水路を通過して側面の開口から外側下方へ流出する浄水または原水を、縮径する嵌合孔により中心部下方の吐出切換弁に集中するように流出させることができる。
【００５２】
また、請求項３に係る浄水機能付きシャワーヘッドは、前記水質浄化材が軸方向へ流路が形成された蓋付き有底円筒形状の浄化材ケースにフィルタおよび浄化材を軸方向に層状に収容したことにより、水質浄化材をカートリッジ式に形成できて交換容易となり、しかも水質浄化材の内部を浄水流路とし外部を原水流路として利用することにより頭部内を効果的に利用できる。
【図面の簡単な説明】
【図１】本発明の第１実施形態の浄水機能付きシャワーヘッドを示す側面図である。
【図２】同上浄水機能付きシャワーヘッドを示す平面図である。
【図３】同上浄水機能付きシャワーヘッドを浄水吐出時の状態で示す側面断面図（図２のＣ−Ｃ矢視図）である。
【図４】同上浄水機能付きシャワーヘッドを浄水吐出時の状態で示す平面断面図（図１のＡ−Ａ矢視図）である。
【図５】同上浄水機能付きシャワーヘッドの浄水吐出時の状態における流路切換弁の位置で示す横断面図（図１のＢ−Ｂ矢視図）である。
【図６】同上浄水機能付きシャワーヘッドの頭部を示す下平面図である。
【図７】同上浄水機能付きシャワーヘッドの頭部を示す側面断面図（図６のＤ−Ｄ矢視図）である。
【図８】同上浄水機能付きシャワーヘッドの頭部に形成された流路切換弁配設位置における横断面図（図７のＥ−Ｅ矢視図）である。
【図９】同上浄水機能付きシャワーヘッドにおける流路切換弁の弁座形成部材を示す後ろ正面図である。
【図１０】同上浄水機能付きシャワーヘッドにおける流路切換弁の弁座形成部材を示す下平面図である。
【図１１】同上浄水機能付きシャワーヘッドにおける流路切換弁の弁座形成部材を示す側面断面図（図９のＦ−Ｆ矢視図）である。
【図１２】同上浄水機能付きシャワーヘッドにおける流路切換弁の弁座形成部材を示す平面断面図（図９のＧ−Ｇ矢視図）である。
【図１３】同上浄水機能付きシャワーヘッドにおける流路切換弁の弁体形成部材を示す正面図である。
【図１４】同上浄水機能付きシャワーヘッドにおける流路切換弁の弁体形成部材を示す貫通孔を通る縦断面図（図１３のＨ−Ｈ矢視図）である。
【図１５】同上浄水機能付きシャワーヘッドにおける流路切換弁の弁体形成部材を示す切換操作部材との係合部を通る横断面図（図１４のＩ−Ｉ矢視図）である。
【図１６】同上浄水機能付きシャワーヘッドにおける流路切換弁の切換操作部材を示す説明図であり、（Ａ）は正面図、（Ｂ）は左側面図、（Ｃ）は下平面図である。
【図１７】同上浄水機能付きシャワーヘッドにおける流路切換弁の切換操作部材を示す側面断面図（図１６（Ａ）のＪ−Ｊ矢視図）である。
【図１８】同上浄水機能付きシャワーヘッドにおける浄化材ケースの蓋部を示す下平面図である。
【図１９】同上浄水機能付きシャワーヘッドにおける浄化材ケースの蓋部を示す側面断面図（図１８のＫ−Ｋ矢視図）である。
【図２０】同上浄水機能付きシャワーヘッドにおける浄化材ケースの浄化材収容部本体を示す下平面図である。
【図２１】同上浄水機能付きシャワーヘッドにおける浄化材ケースの浄化材収容部本体を示す側面断面図（図２０のＬ−Ｌ矢視図）である。
【図２２】同上浄水機能付きシャワーヘッドにおける仕切部材を示す上平面図である。
【図２３】同上浄水機能付きシャワーヘッドにおける仕切部材を示す側面断面図（図２２のＭ−Ｍ矢視図）である。
【図２４】同上浄水機能付きシャワーヘッドにおける集合通過部材を示す上平面図である。
【図２５】同上浄水機能付きシャワーヘッドにおける集合通過部材を示す側面断面図（図２４のＮ−Ｎ矢視図）である。
【図２６】同上浄水機能付きシャワーヘッドにおける集合通過部材を示す下平面図である。
【図２７】同上浄水機能付きシャワーヘッドにおけるシャワープレートを示す正面図である。
【図２８】同上浄水機能付きシャワーヘッドにおけるシャワープレートを示す上平面図である。
【図２９】同上浄水機能付きシャワーヘッドにおけるシャワープレートを示す下平面図である。
【図３０】同上浄水機能付きシャワーヘッドにおけるシャワープレートを示す側面断面図（図２７のＯ−Ｏ矢視図）である。
【図３１】同上浄水機能付きシャワーヘッドにおけるストレート吐出用流路形成部材を示す平面図である。
【図３２】同上浄水機能付きシャワーヘッドにおけるストレート吐出用流路形成部材を示す側面断面図（図３１のＰ−Ｐ矢視図）である。
【図３３】同上浄水機能付きシャワーヘッドにおける吐出切換弁の切換レバーを示す説明図であり、（Ａ）は側面図、（Ｂ）は正面図、（Ｃ）は後正面図、（Ｄ）は上平面図、（Ｅ）は下平面図である。
【図３４】同上浄水機能付きシャワーヘッドにおける吐出切換弁の弁体を示す説明図であり、（Ａ）は側面図、（Ｂ）は正面図、（Ｃ）は後正面図、（Ｄ）は上平面図、（Ｅ）は下平面図である。
【図３５】同上浄水機能付きシャワーヘッドにおける吐出切換弁の弁体を示す側面断面図（図３４（Ｄ）のＱ−Ｑ矢視図）である。
【図３６】同上浄水機能付きシャワーヘッドを原水吐出時の状態で示す平面断面図（図１のＡ−Ａ矢視相当図）である。
【図３７】同上浄水機能付きシャワーヘッドを原水吐出時の状態で示す側面断面図（図３６のＣ′−Ｃ′矢視図）である。
【図３８】同上浄水機能付きシャワーヘッドを原水吐出時の状態で示す流路切換弁の位置における横断面図（図１のＢ−Ｂ矢視相当図）である。
【図３９】本発明の第２実施形態の浄水機能付きシャワーヘッドにおける浄水吐出時の状態を示す側面断面図（図２のＣ−Ｃ矢視相当図）である。
【図４０】同上浄水機能付きシャワーヘッドにおける浄水吐出時の状態を示す平面断面図（図１のＡ−Ａ矢視相当図）である。
【図４１】同上浄水機能付きシャワーヘッドにおける流路切換弁の位置で示す横断面図（図１のＢ−Ｂ矢視相当図）である。
【図４２】同上浄水機能付きシャワーヘッドにおける浄化材収容部本体を示す下平面図である。
【図４３】同上浄水機能付きシャワーヘッドにおける浄化材収容部本体を示す側面断面図（図４２のＬ−Ｌ矢視図）である。
【図４４】同上浄水機能付きシャワーヘッドにおける仕切部材を示す平面図である。
【図４５】同上浄水機能付きシャワーヘッドにおける仕切部材を示す側面断面図（図４４のＭ−Ｍ矢視図）である。
【図４６】同上浄水機能付きシャワーヘッドにおけるシャワープレートを示す平面図である。
【図４７】同上浄水機能付きシャワーヘッドにおけるシャワープレートを示す側面断面図（図４６のＯ−Ｏ矢視図）である。
【図４８】同上浄水機能付きシャワーヘッドを原水吐出時の状態で示す平面断面図（図１のＡ−Ａ矢視相当図）である。
【図４９】同上浄水機能付きシャワーヘッドを原水吐出時の状態で示す側面断面図（図４８のＣ″−Ｃ″矢視図）である。
【図５０】同上浄水機能付きシャワーヘッドを原水吐出時の状態で示す流路切換弁の位置における横断面図（図１のＢ−Ｂ矢視相当図）である。
【符号の説明】
１００，２００  浄水機能付きシャワーヘッド
１１０，２１０  把持部
１１１，１１２，２１１，２１２  筒部
１１１ａ  （長方形の）孔
１１３，２１３  中継部
１１３ａ  円筒部
１１３ｂ  雌ねじ
１１３ｄ  円筒内面
１１４，２１４  ホース接続部
１１４ａ，２１４ａ  突起部
１１５，２１５  ホース取付ねじ
１２０，２２０  頭部
１２０ａ，２２０ａ  空間（空洞）
１２０ｂ，２２０ｂ  頭部外皮
１３０，２３０  シャワープレート
１３０ａ  円板部
１３０ｂ  張出部
１３０ｃ  軸孔
１３０ｄ  多条雌ねじ
１３０ｅ  段差部
１３０ｆ  突出部
１３０ｊ  凹部
１３１，２３１  ストレート吐出口
１３２，２３２  シャワー吐出口
１３３，２３３  シャワー吐出面上流側空間
１４０，２４０  流路切換弁
１４１，２４１  切換操作部材
１４１ａ  湾曲板
１４１ｂ  係止部
１４２，２４２  突出部
１４３，２４３  弁座形成部材
１４３ａ  短円筒
１４３ｂ  円板部
１４３ｃ  弁体嵌合部
１４３ｄ，１４３ｅ，２４３ｄ，２４３ｅ  貫通孔
１４３ｆ，２４３ｆ  導水路
１４３ｇ  接続部
１４４，２４４  弁体形成部材
１４４ａ  厚肉円板部
１４４ｂ  外筒部
１４４ｃ  厚肉部
１４４ｄ  Ｏリング溝
１４４ｅ，２４４ｅ  貫通孔
１４４ｆ  Ｏリング溝
１５０，２５０  水質浄化材
１５１，２５１  浄化材
１５２，２５２  フィルタ
１５３，２５３  浄化材ケース
１５４，２５４  蓋部
１５４ａ  円板部
１５４ｂ  継手部
１５４ｃ  Ｏリング溝
１５４ｄ  短円筒
１５５，２５５  浄化材収容部本体
１５５ａ  側周壁
１５５ｂ  底面
１５５ｃ  孔
１６０，２６０  仕切部材
１６０ａ，２６０ａ  円板状仕切板
１６０ｂ，１６０ｃ，２６０ｂ，２６０ｃ  環状部材
１６０ｄ，２６０ｄ  嵌合孔
１６０ｅ，２６０ｅ  突出部
１６０ｆ，２６０ｇ  雄ねじ
１６０ｇ，２６０ｈ  Ｏリング溝
１６０ｈ，２６０ｉ  多条雄ねじ
１６０ｉ，２６０ｊ  Ｏリング溝
１６１，２６１  集合通過部材
１６１ａ  円柱部
１６１ｂ  溝
１６１ｃ  鍔部
１６１ｄ  光芒
１７０  吐出切換弁
１７１  切換レバー
１７１ａ  レバー部
１７１ｂ  指掛け部
１７１ｃ  凹部
１７２  弁軸
１７２ａ  弾性係止部
１７３  弁体
１７３ａ  皿部
１７３ｂ  アーム部
１７３ｃ  嵌合孔
１７３ｄ  軸結合部
１８０，２８０  ストレート吐出用流路形成部材
１８０ａ  開口
１８１，２８１  ストレート吐出流路
【図１】
0004575556.tif 000002
【図２】
0004575556.tif 000003
【図３】
0004575556.tif 000004
【図４】
0004575556.tif 000005
【図５】
0004575556.tif 000006
【図６】
0004575556.tif 000007
【図７】
0004575556.tif 000008
【図８】
0004575556.tif 000009
【図９】
0004575556.tif 000010
【図１０】
0004575556.tif 000011
【図１１】
0004575556.tif 000012
【図１２】
0004575556.tif 000013
【図１３】
0004575556.tif 000014
【図１４】
0004575556.tif 000015
【図１５】
0004575556.tif 000016
【図１６】
0004575556.tif 000017
【図１７】
0004575556.tif 000018
【図１８】
0004575556.tif 000019
【図１９】
0004575556.tif 000020
【図２０】
0004575556.tif 000021
【図２１】
0004575556.tif 000022
【図２２】
0004575556.tif 000023
【図２３】
0004575556.tif 000024
【図２４】
0004575556.tif 000025
【図２５】
0004575556.tif 000026
【図２６】
0004575556.tif 000027
【図２７】
0004575556.tif 000028
【図２８】
0004575556.tif 000029
【図２９】
0004575556.tif 000030
【図３０】
0004575556.tif 000031
【図３１】
0004575556.tif 000032
【図３２】
0004575556.tif 000033
【図３３】
0004575556.tif 000034
【図３４】
0004575556.tif 000035
【図３５】
0004575556.tif 000036
【図３６】
0004575556.tif 000037
【図３７】
0004575556.tif 000038
【図３８】
0004575556.tif 000039
【図３９】
0004575556.tif 000040
【図４０】
0004575556.tif 000041
【図４１】
0004575556.tif 000042
【図４２】
0004575556.tif 000043
【図４３】
0004575556.tif 000044
【図４４】
0004575556.tif 000045
【図４５】
0004575556.tif 000046
【図４６】
0004575556.tif 000047
【図４７】
0004575556.tif 000048
【図４８】
0004575556.tif 000049
【図４９】
0004575556.tif 000050
【図５０】
0004575556.tif 000051